(57)【要約】【課題】埋込みボックスから取り外すことができる埋込型照明器具を備えたボックスス埋込型照明器具において、線状であって切れ目の少ない光を出すことができ、その送り配線が簡略化できるものを供給すること。【解決手段】有底筒状の本体と、本体の開口部を塞ぐパネルと、パネルの周縁に当接するパッキンと、パッキンに当接する当接部を有しこの当接部によりパッキンを圧接する外枠と、を備えた埋込型照明器具であって、この埋込型照明器具を地中に埋設する埋込みボックスの中に収納したボックス埋込型照明器具において、埋込型照明器具を直方体とし、埋込みボックスの中に複数台数、直方体の長手方向に連続して収納するとともに埋込型照明器具の本体を矩形の箱状に形成し、この長手方向に対向する側壁に電線の貫通孔を設け、埋込型照明器具を長手方向に連続して収納したときに、隣合う埋込型照明器具の貫通孔が一つの連結部材で防水接続されるようにした。【選択図】　　　　図２
2004146213.tif 000002
【特許請求の範囲】
【請求項１】
光源を収納した有底筒状の本体と、この本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具であって、この埋込型照明器具を地中に埋め込まれる埋込みボックスの中に収納したボックス埋込型照明器具において、前記埋込型照明器具を直方体のものとし、前記埋込みボックスの中に複数台数、直方体の長手方向に連続して収納するとともに、前記埋込型照明器具の本体をその底部が長方形になるように矩形の箱状に形成し、この長手方向に対向する側壁に電線が貫通し得る貫通孔を設け、埋込型照明器具を長手方向に連続して収納したときに、隣合う埋込型照明器具の前記貫通孔が一つの連結部材で防水接続されるようにしたものであることを特徴とするボックス埋込型照明器具。
【請求項２】
前記連結部材は、隣合う埋込型照明器具の本体に設けられた貫通孔を個々に防水する２つのパッキンと、この２つのパッキンを所定の間隔で保持するコネクタ本体と、を備え、これらを一体化したものであることを特徴とする請求項１記載のボックス埋込型照明器具。
【請求項３】
前記埋込みボックスは、両端が塞がれた樋の形をなし、この埋込みボックスに複数の埋込型照明器具を長手方向に線状に連続して収納したときに、埋込型照明器具を長手方向に押しつけて、隣合う埋込型照明器具の隙間を小さくする器具固定機構を埋込みボックスの中に設けたことを特徴とする請求項１又は２記載のボックス埋込型照明器具。
【請求項４】
前記埋込型照明器具は、前記外枠が本体の側壁に沿って本体の底の部分まで延設され、この延設した箇所に本体の底の部分を前記開口部の方向に押つけることにより前記外枠の当接部と前記本体の開口部の周縁との間で前記パネルと前記パッキンとを挟持する本体押圧手段を備えたものであることを特徴とする請求項１乃至３記載のボックス埋込型照明器具。
【請求項５】
前記本体押圧手段は、前記本体の底の部分と接触するボルトであり、このボルトを回転させることにより前記本体の底の部分を前記開口部の方向に押つけたことを特徴とする請求項４記載のボックス埋込型照明器具。
【発明の詳細な説明】
【０００１】
【発明の属する技術分野】
本発明は、地中などに埋設して使用される埋込型照明器具が複数収納されたボックス埋込型照明器具に関する。
【０００２】
【従来の技術】
この種のボックス埋込型照明器具としては、特開昭５３−１２２２７８号公報に開示されたものがあり、図７はこのものを地中などに設置したときの要部断面図である。このものは、光源を収納した有底筒状の本体１０と、この本体１０の開口部を塞ぐ透光性材料で形成されたパネル２と、このパネル２の周縁に当接する防水用のパッキン３と、このパッキン３に当接する当接部を有しこの当接部によりパッキン３を圧接する外枠４と、取り付けネジ３０と、これらを収納する埋込み埋込みボックス８と、を備えて構成されたボックス埋込型照明器具である。
【０００３】
このものは、仮蓋をした埋込みボックス８を地中に埋込み、その後、仮蓋を外して本体１０を挿入し、その本体１０にパネル２、パッキン３を載せ、さらにその上から外枠４を取り付けネジ３０により埋込みボックス８に固定することにより、パネルの外部から内部に水が入らないようにして地中に設置できるものである。
【０００４】
次に、これとは別のボックス埋込型照明器具として、特開平５−６２５０６号公報に開示されたものを図８に示す。このものは、光源を収納した有底筒状の本体１０と、この本体１０の開口部を塞ぐ透光性材料で形成されたパネル２と、このパネル２の周縁に当接する防水用のパッキン３と、このパッキン３に当接する当接部を有し、この当接部によりパッキン３を圧接する外枠４と、取り付けネジ３０と、これらを収納する埋込みボックス８と、を備えて構成されたボックス埋込型照明器具である。
【０００５】
このものは、本体１０を埋込みボックス８に収納しなくともパネル２を埋込みボックス８に押圧保持できるものである。
【０００６】
ところが、図７、図８に示したボックス埋込型照明器具では、本体１０の内部に配設されたランプ１１ａを交換するときに雨が降っていた場合、パネル２を開けた際に雨が中に入り込む。また、このとき周囲の路面がパネル２や外枠４よりも高い場合は、溜まっていた雨水がパネル２を外した瞬間に流れ込むことになる。従って、このものは、雨が降っているときにランプ１１ａの交換を行うことを前提にしたものではない。
【０００７】
一方、雨が降っているときでも光源の交換ができるものとして、本体１０が防水機能を有したまま埋込みボックス８から取り出せ、このものを雨のかからない別の場所に持っていくことによりランプ交換ができ、再び埋込みボックス８に取り付けることができるものがある。このものは、図９に示すボックス埋込型照明器具であり、これはすでに市販されているものである。このものは、光源ユニット１１を収納した有底筒状の本体１と、この本体１の開口部１Ｘを塞ぐ透光性材料で形成されたパネル２と、このパネル２の周縁に当接する防水用のパッキン３と、このパッキン３に当接する当接部を有しこの当接部によりパッキン３を本体１に圧接する外枠４と、取り付けネジ３０と、埋込みボックス８と、を備えて構成されている。
【０００８】
本体１は、開口部１Ｘの周縁に外方へ突出する鍔部１ａを備え、この鍔部１ａには、取り付けネジ３０をネジ止めするためのネジ穴１ｂが数カ所にわたり設けられている。
【０００９】
外枠４は、取り付けネジ３０を通すための孔４ｂを本体１のネジ穴１ｂに対応した箇所に備えている。また、パッキン３はパネル２の周縁に取り付けられており、パネル３と一体となっている。
【００１０】
埋込みボックス８は、上部に開口を有した有底筒状であって、その側壁の内側には、本体１を載置する載置部が設けられている。
【００１１】
このものは、外枠４と本体１との間にパッキン３を挟み込み、取り付けネジ３０を締めつけることにより、外枠４が本体１に固定される。このとき外枠４と本体１との間にパッキン３を圧着して固定するので、水などが本体１に侵入しないように取り付けできるものである。そして、このものを埋込みボックス８に収納することによりボックス埋込型照明器具として使用できるものとなる。
【００１２】
このものは、本体１が防水機能を有したまま埋込みボックス８から取り出せ、雨のかからない別の場所でランプ交換ができ、再び埋込みボックス８に取り付けることができるものである。
【００１３】
【特許文献１】
特開昭５３−１２２２７８号公報
【００１４】
【特許文献２】
特開平５−６２５０６号公報
【００１５】
【発明が解決しようとする課題】
ところでボックス埋込型照明器具を例えば屋外のアミューズメントパークの舞台の前方に使用するような場合やデザイン照明としてビルの人口地盤などに埋め込むような場合は、線状の光を出すためにボックス埋込型照明器具をその長手方向に連続して線状に並べて使うことがある。この場合デザイン性をよくするために光の切れ目を極力少なくすることが望まれている。このような用途に雨が降っているところでも光源ユニットの交換ができる図９に示したものを使用した場合、光の切れ目を極力少なくするには、ボックス埋込型照明器具の外枠４の短手方向の幅を狭いものとしたり、ボックス埋込型照明器具どうしを隙間なく埋設する必要があったが、外枠４は防水性能の関係で幅を狭くすることは難しく、また、ボックス埋込型照明器具どうしを隙間なく埋設することも施工者の技術力を要するものとなっていた。
【００１６】
さらに、ボックス埋込型照明器具をその長手方向に連続して線状に並べて使う場合は、隣合うボックス埋込型照明器具への電源の送り配線をできるだけ簡単な方法で行えることが要望されるが、図９のものは電源の送りを考慮したものではなく、仮に行う場合はボックス埋込型照明器具の外に防水性能を備えた接続器を設ける必要があった。
【００１７】
本発明は、上記事由に鑑みてなしたもので、その目的とするところは、防水機能を備えたままで埋込みボックスから取り外すことができる埋込型照明器具を備えたボックスス埋込型照明器具において、線状であって切れ目の少ない光を出すことができ、その送り配線が簡略化できるボックス埋込型照明器具を供給することにある。
【００１８】
【課題を解決するための手段】
請求項１に係る発明は、光源を収納した有底筒状の本体と、この本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具であって、この埋込型照明器具を地中に埋め込まれる埋込みボックスの中に収納したボックス埋込型照明器具において、前記埋込型照明器具を直方体のものとし、前記埋込みボックスの中に複数台数、直方体の長手方向に連続して収納したボックス埋込型照明器具であって、前記埋込型照明器具の本体をその底部が長方形になるように矩形の箱状に形成し、この長手方向に対向する側壁に電線が貫通し得る貫通孔を設け、埋込型照明器具を長手方向に連続して収納したときに、隣合う埋込型照明器具の前記貫通孔が一つの連結部材で防水接続されるようにしたものであることを特徴とする。
【００１９】
請求項２に係る発明のボックス埋込型照明器具は、請求項１において、前記連結部材は、隣合う埋込型照明器具の本体に設けられた貫通孔を個々に防水する２つのパッキンと、この２つのパッキンを所定の間隔で保持するコネクタ本体と、を備え、これらを一体化したものであることを特徴とする。
【００２０】
請求項３に係る発明のボックス埋込型照明器具は、請求項１又は２において、前記埋込みボックスは、両端が塞がれた樋の形をなし、この埋込みボックスに複数の埋込型照明器具を長手方向に線状に連続して収納したときに、埋込型照明器具を長手方向に押しつけて、隣合う埋込型照明器具の隙間を小さくする器具固定機構を埋込みボックスの中に設けたことを特徴とする。
【００２１】
請求項４に係る発明のボックス埋込型照明器具は、請求項１乃至３のいずれかにおいて、前記埋込型照明器具は、前記外枠が本体の側壁に沿って本体の底の部分まで延設され、この延設した箇所に本体の底の部分を前記開口部の方向に押つけることにより前記外枠の当接部と前記本体の開口部の周縁との間で前記パネルと前記パッキンとを挟持する本体押圧手段を備えたものであることを特徴とする。
【００２２】
請求項５に係る発明のボックス埋込型照明器具は、請求項４において、前記本体押圧手段は、前記本体の底の部分と接触するボルトであり、このボルトを回転させることにより前記本体の底の部分を前記開口部の方向に押つけたことを特徴とする。
【００２３】
【発明の実施の形態】
本発明の実施の形態を図１〜図３を用いて説明する。図１はボックス埋込型照明器具の構成要素である埋込型照明器具の分解斜視図、図２はボックス埋込型照明器具の分解斜視図、図３はこのものの組み込み完了状態における斜視図、図４はこのものの組み込み完了状態における要部断面図、図５は連結部材の要部を示した図で、図５（ａ）は埋込型照明器具を連結前の要部斜視図、図５（ｂ）は埋込型照明器具を連結前の要部断面図、図５（ｃ）は埋込型照明器具を連結後の要部断面図、図６はボックス埋込型照明器具の端部を示す図で、図６（ａ）は一部を切り欠いた上面図、図６（ｂ）はその断面図である。
【００２４】
このボックス埋込型照明器具は、光源を収納した有底筒状の本体１と、この本体１の開口部１Ｘを塞ぐ透光性材料で形成されたパネル２と、このパネル２の周縁に当接する防水用のパッキン３と、このパッキン３に当接する当接部を有しこの当接部によりパッキン３を本体１に圧接する外枠４１と、を備えた埋込型照明器具４０と、この埋込型照明器具４０を収納するものであって地中に埋め込まれる埋込みボックス８と、を備えて構成されている。
【００２５】
本体１は、ステンレス鋼鈑や強化プラスチックなど、衝撃に強く、錆びにくい材料により有底筒状、詳しくは、上部に開口部１Ｘを備え、底部が長方形をなした矩形の箱状に形成されている。そして、開口部１Ｘの周縁には、本体１の側壁上端より内方に少し伸びる当接部１ｃが設けられている。そして、本体１の内部には、ＬＥＤ素子などの光源と、その電源、及びＬＥＤ素子から出た光を所定の方向に向ける反射板と、電源に電力を供給する電源コードと、を備えて構成された光源ユニット１１が収納されている。そして、本体１の側壁には、電源コードを外部に引き出すための貫通孔１Ｙが設けられており、この貫通孔１Ｙからは、電源の送り電線１１ｃと接続コネクタ１１ｄが外部に引き出されている。なお、本体１については、貫通孔１Ｙや開口部１Ｘ以外の側壁や底の部分は、勿論、水などが侵入しないように加工されている。
【００２６】
パネル２は、透光性を備えた強化ガラスや網入ガラスなど、この上に人が乗っても、通常、破損することのないもので平板状に形成されている。そして、パネル２の周端部は、後述するパッキン３を嵌め込むための凸状部を備えている。
【００２７】
パッキン３は、弾性を備えたゴム材により、その断面がコ字状をなすように形成されている。そして、コ字状の対向する片をパネル２の周端部に設けられた凸状部に挿入することにより、パネル２に取り付けられている。
【００２８】
外枠４１は、ステンレス鋼鈑など、衝撃に強く、錆びにくい材料により形成されている。これを具体的に説明すると、外枠４１は有底筒状、詳しくは、底部が長方形をなした矩形の箱状に形成されたものであり、外枠４１の上部の開口部４１Ｘには、パッキン３と当接する当接部４１ｃが外枠４１の側壁上端より内方に向けて開口部４１Ｘの全周にわたり設けられている。
【００２９】
そして、外枠４１の底の部分には、本体１を外枠４１の中に収納したときに、本体１の底の部分を開口部１Ｘの方向に押つけることにより外枠４１の当接部４１ｃと本体１の開口部１Ｘの周縁との間でパネル２とパッキン３とを挟持する本体押圧手段が設けられている。この本体押圧手段を詳しく述べると、本体押圧手段は、外枠４１の底の部分に設けられた本体１の底の部分と接触するボルト７であり、このボルト７を回転させることにより本体１の底の部分を開口部１Ｘの方向に押つけるようにしたものである。そして、このボルト７は、複数設けられており、本体１の底の部分を複数箇所で開口部１Ｘの方向に押つけるようにしている。なお、外枠４１の底の部分には、ボルト７に対応して設けられたネジ穴４１ｅが設けられている。さらに外枠４１には、外枠４１の開口部４１Ｘと略直交する側壁に本体１を挿入し得る挿入用開口４１ｄが設けられている。
【００３０】
ここで重要なことは、埋込型照明器具４０を直方体のものとし、埋込みボックス８の中に複数台数、直方体の長手方向に連続して収納したことである、さらに埋込型照明器具４０の本体１をその底部が長方形になるように矩形の箱状に形成し、この長手方向に対向する側壁に電線が貫通し得る貫通孔１Ｙを設け、埋込型照明器具４０を長手方向に連続して収納したときに、隣合う埋込型照明器具４０の貫通孔１Ｙが一つの連結部材９で防水接続されるようにしたことである。さらに埋込みボックス８は、両端が塞がれた樋の形をなし、この埋込みボックス８に複数の埋込型照明器具４０を長手方向に線状に連続して収納したときに、埋込型照明器具４０を長手方向に押しつけて、隣合う埋込型照明器具４０の隙間を小さくする器具固定機構８０を埋込みボックスの中に設けたことである。
【００３１】
ここで連結部材９は、図５に示すように隣合う埋込型照明器具４０の本体１の側面に設けられた貫通孔１Ｙを個々に防水する２つのパッキン９ａと、この２つのパッキンを所定の間隔で保持するコネクタ本体９ｂと、を備え、これらを一体化したものである。そしてコネクタ本体９ｂは、錆びにくい真鍮やアルミ材で両端が開口した円筒状に形成されており、その内部を電源の送り電線１１ｃと接続コネクタ１１ｄが貫通するようになっている。また、これが挿入される貫通孔１Ｙは、本体１の側壁に対し底の浅い円筒状に窪んでおり、その底の部分はドーナツ盤状に中心部分に孔が開いた当接部１ｄを有している。そして、この孔より電源の送り電線１１ｃと接続コネクタ１１ｄが貫通し、当接部１ｄで電線コネクタ本体９ｂの開口周縁を当接させるものとなっている。
【００３２】
また、器具固定機構８０は、埋込みボックス８の一端部に設けられたもので、図６に示すように埋込みボックス８の溝を途中で仕切る仕切り板８ａと、この仕切り板８ａに設けられたボルト８ｂにより構成されている。そして、このボルト８ｂを締めることによりその先端が埋込型照明器具４０の方向に移動するようになっている。
【００３３】
次に、このボックス埋込型照明器具の設置方法を説明する。まず本体１の開口部１Ｘの上にパネル２を載せる。これにより、パネル２のガラス部分が本体１の開口部１Ｘに嵌り込み、パネル２の周端に取り付けられたパッキン３が本体１の当接部１ｃの上に当接する。次に、このものを外枠４１の側壁に設けられた挿入用開口４１ｄより挿入し、外枠４１の中に収納する。そして、４箇所に設けられた本体押圧手段すなわちボルト７を回転させボルト７を締めつける。これにより本体１の底の部分が本体１の開口部１Ｘの方向、すなわち外枠４１の開口部４１Ｘの方向に押つけられ、ひいては本体１が外枠４１の開口部４１Ｘの方向に移動し、やがては、外枠４１の当接部４１ｃと本体１の開口部の周縁に設けられた当接部１ｃとの間でパネル２とパッキン３とが挟持される。そして、パネル２とパッキン３とが適度に挟持された状態でボルト７の締めつけを終了する。これで埋込型照明器具４０が完了する。なお、ここまでの作業はボックス埋込型照明器具を設置する前に、工場などで組み立ててもかまわないものである。
【００３４】
次に、埋込みボックス８をコンクリートなどを使って所定の箇所に埋設する。そして、図２に示すように器具固定機構８０から遠い方より埋込型照明器具４０を埋込みボックス８に収納していく。このとき次の埋込型照明器具４０を収納したときに接続コネクタ１１ｄを接続する、そして、電源の送り電線１１ｃと接続コネクタ１１ｄとをどちらかの埋込型照明器具４０の中に収納しながらお互いを突き合せることにより、連結部材９を貫通孔１Ｙに嵌め込む。このとき図５に示すように貫通孔１Ｙの当接部１ｄで連結部材９は水平方向が固定され、貫通孔１Ｙの円筒状の側面の内側と連結部材９に設けられたパッキン９ａとが密着して内部に水が侵入しないものとなる。なお、パッキン９ａは、所定の間隔で保持するようにコネクタ本体９ｂに設けられているので、他方のパッキン９ａは、隣の埋込型照明器具４０を防水接続することができるものとなる。従って、一つの連結部材９により隣合う埋込型照明器具４０を防水接続することができる。なお、器具固定機構８０から最も遠い位置で収納される埋込型照明器具４０には、電源線の送りは不用となるので、その本体１には貫通孔１Ｙは設けられていない。
【００３５】
以降この作業を繰返すことにより埋込型照明器具４０は、連結接続されていく。なお、埋込みボックス８に全ての埋込型照明器具４０を収納した後は、器具固定機構８０に設けられたボルト８ｂを締め付ける。これによりその先端が埋込型照明器具４０の方向に移動するので埋込型照明器具４０が長手方向に押し付けられ、各埋込型照明器具４０の隙間が小さくなるとともに、埋込みボックス８に埋込型照明器具４０を固定できるものとなる。最後に、器具固定機構８０の上部にカバーをして取り付けが終了する。
【００３６】
次に、このものにおいて光源ユニット１１の交換などを行うときの方法は、前述したものと逆の手順で行えばよい。
【００３７】
この実施の形態によると、埋込型照明器具４０を直方体のものとし、埋込みボックス８の中に複数台数、直方体の長手方向に連続して収納したことにより埋込型照明器具４０を長手方向に直線状に配置できるので、そこから出る光は、線状の切れ目の少ない光を出すことができる。さらに埋込型照明器具４０の本体１をその底部が長方形になるように矩形の箱状に形成し、この長手方向に対向する側壁に電線が貫通し得る貫通孔１Ｙを設け、埋込型照明器具４０を長手方向に連続して収納したときに、隣合う埋込型照明器具４０の貫通孔１Ｙが一つの連結部材９で防水接続されるようにしたことにより、埋込型照明器具４０の本体１の内部で送り配線することが可能となるうえに、隣合う埋込型照明器具４０の隙間を詰めて電源の送り配線ができるものとなるので、さらに線状の切れ目の少ない光を出すことができるうえに、その送り配線が簡略化できるものとなる。
【００３８】
さらに連結部材９は、隣合う埋込型照明器具４０の本体１の側面に設けられた貫通孔１Ｙを個々に防水する２つのパッキン９ａと、この２つのパッキンを所定の間隔で保持するコネクタ本体９ｂと、を備え、これらを一体化したものであることにより、その取り付けがさらに簡略化できるとともに、より確実な防水性能を確保できるものとなる。
【００３９】
また、埋込みボックス８は、両端が塞がれた樋の形をなし、この埋込みボックス８に複数の埋込型照明器具４０を長手方向に線状に連続して収納したときに、埋込型照明器具４０を長手方向に押しつけて、隣合う埋込型照明器具４０の隙間を小さくする器具固定機構８０を埋込みボックスの中に設けたことにより、埋込型照明器具４０の隙間を小さくした上で埋込型照明器具４０を固定することができるので、隣合う埋込型照明器具４０の隙間を小さくすることと埋込型照明器具４０の固定とを同時に行うことができる。
【００４０】
さらに、埋込型照明器具４０は、外枠４１が本体１の側壁に沿って本体の底の部分まで延設され、この延設した箇所に本体１の底の部分を開口部１ｃの方向に押つけることにより外枠４１の当接部４１ｃと本体１の開口部の周縁との間でパネル２とパッキン３とを挟持する本体押圧手段を備えたものであることにより、従来、外枠４は図７〜図９に示したようにパッキン３の周端のさらに外側に少なくとも取り付けネジ３０のネジ頭分の幅を有して設けられる必要があったものが、パッキン３の周端のさらに外側に略外枠の板厚分のみ広がる外枠４１でよいものとすることができる。従って、外枠４はその防水性能を落とすことなく、細いものとすることができ、パネル２の光る部分に対して光らない部分すなわち、外枠４１が占める割合を小さくできるものとなる。従って、これを直線状に配設したときは、隣合う埋込型照明器具４０のパネル２同士の間隔が狭くなるものとなり、より線状の切れ目の少ない光を出すことができるものとなる。
【００４１】
また、本体押圧手段は、本体１の底の部分と接触するボルト７であり、このボルト７を回転させることにより本体１の底の部分を開口部１ｃの方向に押つけたことにより、より簡単な方法で、本体押圧手段を形成することができるものとなる。
【００４２】
なお、前述したもの以外に、外枠４１の当接部４１ｃは、パッキン３とパネル２との両方に当接してパッキン３を圧接するものや、パネル２に当接しこれを介してパッキン３を圧接するものであってもよい。またパッキン３は、本体１に一体に取り付けられたものでもよい。さらに、光源の交換については、光源ユニット１１として交換するもの以外に、例えば、ＬＥＤ素子の実装された基板のみを交換したり、より汎用性の高い蛍光灯や高輝度放電灯などの光源を交換するものであってもよい。
【００４３】
また、ボックス埋込型照明器具の取り付けは、壁面であってもよく、この場合、例えば階段などの蹴上げ部分への埋込みが有効である。
【００４４】
【発明の効果】
請求項１記載の発明にあっては、光源を収納した有底筒状の本体と、この本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具であって、この埋込型照明器具を地中に埋め込まれる埋込みボックスの中に収納したボックス埋込型照明器具において、前記埋込型照明器具を直方体のものとし、前記埋込みボックスの中に複数台数、直方体の長手方向に連続して収納したボックス埋込型照明器具であって、前記埋込型照明器具の本体をその底部が長方形になるように矩形の箱状に形成し、この長手方向に対向する側壁に電線が貫通し得る貫通孔を設け、埋込型照明器具を長手方向に連続して収納したときに、隣合う埋込型照明器具の前記貫通孔が一つの連結部材で防水接続されるようにしたものであることにより、埋込型照明器具を長手方向に直線状に配置できるので、そこから出る光は、線状の切れ目の少ない光を出すことができる。さらに埋込型照明器具の本体の内部で送り配線することが可能となるうえに、隣合う埋込型照明器具の隙間を詰めて電源の送り配線ができるものとなるので、さらに線状の切れ目の少ない光を出すことができるうえに、その送り配線が簡略化できるものとなる。
【００４５】
請求項２記載の発明にあっては、前記連結部材は、隣合う埋込型照明器具の本体に設けられた貫通孔を個々に防水する２つのパッキンと、この２つのパッキンを所定の間隔で保持するコネクタ本体と、を備え、これらを一体化したものであることにより、請求項１に記載の効果を奏するうえに、その取り付けがさらに簡略化できるとともに、より確実な防水性能を確保できるものとなる。
【００４６】
請求項３記載の発明にあっては、前記埋込みボックスは、両端が塞がれた樋の形をなし、この埋込みボックスに複数の埋込型照明器具を長手方向に線状に連続して収納したときに、埋込型照明器具を長手方向に押しつけて、隣合う埋込型照明器具の隙間を小さくする器具固定機構を埋込みボックスの中に設けたことにより、請求項１又は２に記載の効果を奏するうえに、埋込型照明器具の隙間を小さくした上で埋込型照明器具を固定することができるものとなる。
【００４７】
請求項４記載の発明にあっては、前記埋込型照明器具は、前記外枠が本体の側壁に沿って本体の底の部分まで延設され、この延設した箇所に本体の底の部分を前記開口部の方向に押つけることにより前記外枠の当接部と前記本体の開口部の周縁との間で前記パネルと前記パッキンとを挟持する本体押圧手段を備えたものであることにより、請求項１乃至３のいずれかに記載の効果を奏するうえに、外枠はその防水性能を落とすことなく、細いものとすることができ、パネルの光る部分に対して光らない部分すなわち、外枠が占める割合を小さくできるものとなる。従って、これを直線状に配設したときは、隣合う埋込型照明器具のパネル同士の間隔が狭くなるものとなり、より線状の切れ目の少ない光を出すことができるものとなる。
【００４８】
請求項５記載の発明にあっては前記本体押圧手段は、前記本体の底の部分と接触するボルトであり、このボルトを回転させることにより前記本体の底の部分を前記開口部の方向に押つけたことにより、請求項４に記載の効果を奏するうえに、より簡単な方法で、本体押圧手段を形成することができるものとなる。
【図面の簡単な説明】
【図１】本発明の実施の形態に係るボックス埋込型照明器具の埋込型照明器具の分解斜視図である。
【図２】同上のボックス埋込型照明器具の分解斜視図である。
【図３】同上のボックス埋込型照明器具の組み込み完了状態における斜視図である。
【図４】同上のボックス埋込型照明器具の組み込み完了状態における要部断面図である。
【図５】同上のボックス埋込型照明器具の連結部材の要部を示した図で、図５（ａ）は埋込型照明器具を連結前の要部斜視図、図５（ｂ）は埋込型照明器具を連結前の要部断面図、図５（ｃ）は埋込型照明器具を連結後の要部断面図である。
【図６】同上のボックス埋込型照明器具の端部を示す図で、図６（ａ）は一部を切り欠いた上面図、図６（ｂ）はその断面図である。
【図７】第１の従来例に係るボックス埋込型照明器具を示す図で、このものを地中などに設置したときの要部断面図である。
【図８】第２の従来例に係るボックス埋込型照明器具を示す図で、このものを地中などに設置したときの要部断面図である。
【図９】第３の従来例に係るボックス埋込型照明器具の分解斜視図である。
【符号の説明】
１、１０　本体
１ｃ　　　当接部
１Ｘ　　　開口部
１Ｙ　　　貫通孔
２　　　　パネル
３　　　　パッキン
７　　　　本体押圧手段（ボルト）
８　　　　埋込みボックス
９　　　　連結部材
９ａ　　　パッキン
９ｂ　　　コネクタ本体
１１　　　光源
１１ａ　　ランプ
４、４１　外枠
４１ｃ　　当接部
４１ｅ　　ネジ穴
４１Ｘ　　開口部
４０　　　埋込み型照明器具
８０　　　器具固定機構
【図１】
2004146213.tif 000003
【図２】
2004146213.tif 000004
【図３】
2004146213.tif 000005
【図４】
2004146213.tif 000006
【図５】
2004146213.tif 000007
【図６】
2004146213.tif 000008
【図７】
2004146213.tif 000009
【図８】
2004146213.tif 000010
【図９】
2004146213.tif 000011